(57)【要約】【課題】  本発明は２枚の非接触ＩＣカードを収納しても改札を誤作動なく通過することができる、構造が簡単で、容易に製造することができる非接触ＩＣカードケースを得るにある。【解決手段】  仕切壁を介して両側部に非接触ＩＣカードを収納することができるポケットを形成した非接触ＩＣカードケース本体と、この非接触ＩＣカードケース本体の仕切壁に設けられた、前記両側部のポケットに収納された非接触ＩＣカード間の電磁波の誘導を遮断あるいは減衰させる電磁シールド手段とで非接触ＩＣカードケースを構成している。【選択図】  図１
2010102481.tif 000002
【特許請求の範囲】
【請求項１】
仕切壁を介して両側部に非接触ＩＣカードを収納することができるポケットを形成した非接触ＩＣカードケース本体と、この非接触ＩＣカードケース本体の仕切壁に設けられた、前記両側部のポケットに収納された非接触ＩＣカード間の電磁波の誘導を遮断あるいは減衰させる電磁シールド手段とからなることを特徴とする非接触ＩＣカードケース。  
【請求項２】
非接触ＩＣカードケース本体は仕切壁本体、この仕切壁本体の一側面あるいは一端部と一体に形成された該仕切壁本体と重なり合い、内部に電磁シールド手段を配置することができるカバー体とからなる仕切壁と、この仕切壁の仕切壁本体の他側部と一体形成された中央部に透孔を有する、該仕切壁の一側面と重なり合う他端部が仕切壁の他端部より内側に位置するように形成された一方の外側カバーと、この一方の外側カバーの一端部と一体形成された中央部に透孔を有する前記仕切壁の他側面と重なり合う、該仕切壁の一側端より一側端が内側に位置するように形成された他方の外側カバーと、前記仕切壁と前記一方の外側カバーおよび前記他方の外側カバーとの間に非接触ＩＣカードを収納できるように外周部をＬ字状あるいはコ字状に固定する縫着固定部とで構成されていることを特徴とする請求項１記載の非接触ＩＣカードケース。
【発明の詳細な説明】
【技術分野】
【０００１】
本発明はＳｕｉｃａやＰＡＳＭＯ等の非接触ＩＣカードを２枚収納することができる非接触ＩＣカードケースに関する。
【背景技術】
【０００２】
従来、ＳｕｉｃａやＰＡＳＭＯ等のＩＣ乗車券は定期券収納ケースやパスケースに収納して使用している。
【０００３】
このため、２個以上の非接触ＩＣカードをケース内に収納すると、改札の通過時に２個以上の非接触ＩＣカードの情報を読み取り、誤作動を起こすという欠点があった。
【特許文献１】特開１１−４５３１６
【特許文献２】特開２００５−３４６５４９
【発明の開示】
【発明が解決しようとする課題】
【０００４】
本発明は以上のような従来の欠点に鑑み、２枚の非接触ＩＣカードを収納しても改札を誤作動なく通過することができる、構造が簡単で、容易に製造することができる非接触ＩＣカードケースを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は仕切壁を介して両側部に非接触ＩＣカードを収納することができるポケットを形成した非接触ＩＣカードケース本体と、この非接触ＩＣカードケース本体の仕切壁に設けられた、前記両側部のポケットに収納された非接触ＩＣカード間の電磁波の誘導を遮断あるいは減衰させる電磁シールド手段とで非接触ＩＣカードケースを構成している。
【発明の効果】
【０００７】
以上の説明から明らかなように、本発明にあっては次に列挙する効果が得られる。
【０００８】
（１）仕切壁を介して両側部に非接触ＩＣカードを収納することができるポケットを形成した非接触ＩＣカードケース本体と、この非接触ＩＣカードケース本体の仕切壁に設けられた、前記両側部のポケットに収納された非接触ＩＣカード間の電磁波の誘導を遮断あるいは減衰させる電磁シールド手段とで構成されているので、両側部のポケットに非接触ＩＣカードをそれぞれ収納することにより、仕切壁に設けられた電磁シールド手段によって、使用しない方の非接触ＩＣカードの電磁波の誘導を遮断あるいは減衰させることができ、改札を誤作動させることなく通過することができる。
したがって、カードケースにＳｕｉｃａやＰＡＳＭＯ等のＩＣ乗車券を２枚収納していても、安全に使用することができる。
すなわち、Ｓｕｉｃａは私用に使用し、ＰＡＳＭＯを公用に使用したりの区別した使用ができる。
【０００９】
（２）前記（１）によって、仕切壁に電磁シールド手段を設けるだけでよいので、構造が簡単で、容易に製造することができる。
【００１０】
（３）請求項２も前記（１）、（２）と同様な効果が得られるとともに、両側部のポケットの開口部の位置を異ならせることができる。
したがって、両側部のポケットに収納した非接触ＩＣカードを容易に区別することができる。
【００１１】
（４）請求項２は２部品と折りたたみ、Ｌ字状あるいはコ字状に縫着固定で製造できるので、部品点数が少なく、効率よく同じ品質で製造することができる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は本発明の非接触ＩＣカードケースで、この非接触ＩＣカードケース１は仕切壁２を介して両側部に非接触ＩＣカード３、３Ａを収納することができるポケット４、４を形成した非接触ＩＣカードケース本体５と、この非接触ＩＣカードケース本体５の仕切壁２に設けられた、前記両側部のポケット４、４に収納された非接触ＩＣカード３、３Ａ間の電磁波の誘導を遮断あるいは減衰させる電磁シールド手段６とで構成されている。
【００１４】
前記非接触ＩＣカードケース本体５は図４に示すように非接触ＩＣカード３、３Ａよりも一回り程大きく形成した耐久性のある布、シート、フィルム等の素材製の仕切壁本体7、この仕切壁本体7の一端部7ａと一体に形成された、該仕切壁本体７と重なり合う内部に、前記電磁シールド手段６を配置することができるカバー体８とからなる仕切壁２と、この仕切壁２の仕切壁本体７の他側部７ｂと一体形成された中央部に透孔９を有する、該仕切壁２の一側面と重なり合う他端部１０ａが仕切壁２の一端部７ａより内部に位置するように傾斜面に形成された一方の外側カバー１０と、この一方の外側カバー１０の一端部１０ｂと一体形成された中央部に透孔１１を有する前記仕切壁２の他側面と重なり合う、該仕切壁２の他側部７ｂより一側部１２ａが内側に位置するように形成された他方の外側カバー１２と、前記仕切壁２と前記一方の外側カバー１０および前記他方の外側カバー１２との間に、前記非接触ＩＣカード３、３Ａを収納できるように外周部をコ字状に固定する縫着固定部１３とで構成されている。
【００１５】
前記電磁シールド手段６は金属をメッシュ状に構成したもの、ラティス状に構成したもの、金属箔、金属板、不織布やポリエステル繊維等からなる繊維状プラスチックにアルミニウムや銅あるいは銀等の金属繊維を混ぜ合わせてシート状に圧縮したもの等から適宜に選択して使用される。
【００１６】
上記構成の非接触ＩＣカードケース１は図５に示すように、非接触ＩＣカードケース本体５の仕切壁本体７上に電磁シールド手段６を配置し、カバー体８で電磁シールド手段６を覆うように仕切壁本体７上にカバー体８を重ねる。
しかる後、図６に示すように仕切壁２の一側面と重なり合うように一方の外側カバー１０を折りたたみ、その後、図７に示すように他方の外側カバー１２が仕切壁２の他側面と重なり合うように折りたたみ、外周部をコ字状に縫着固定部１３を形成することにより出来上がる。
なお、縫着固定部１３を形成する場合、他方の外側カバー１２の一側部１２ａが縫着されないように行なわなければならない。
【００１７】
上記構成の非接触ＩＣカードケース１は非接触ＩＣカード３を仕切壁２と一方の外側カバー１０との間に形成されたポケット４に一方の外側カバー１０の他端部１０ａより収納することができる。
また、仕切壁２と他方の外側カバー１２との間に形成されたポケット４に他方の外側カバー１２の一側部１２ａより収納することができる。
このように２枚の非接触ＩＣカード３、３Ａ  が収納された非接触ＩＣカードケース１でも、改札を通過する時に非接触ＩＣカードリーダ側の非接触ＩＣカード３あるいは３Ａは正常に作動し、反対側の非接触ＩＣカード３Ａあるいは３は仕切壁２に設けられた電磁シールド手段６によって、誤作動するのを確実に防止することができる。
[発明を実施するための異なる形態]
【００１８】
次に、図１０ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１０ないし図１２に示す本発明を実施するための第２の形態において、前記本発明を実施するための最良の第１の形態と主に異なる点は、仕切壁本体７の一側部７ｃと一体に形成されたカバー体８とからなる仕切壁２Ａを使用した非接触ＩＣカードケース本体５Ａを用いるとともに、電磁シールド手段６を仕切壁本体７あるいはカバー体８に接着剤で固定した点で、このように構成した非接触ＩＣカードケース１Ａにしても、前記本発明を実施するための最良の第１の形態と同様な作用効果が得られる。
【００２０】
図１３ないし図１５に示す本発明を実施するための第３の形態において、前記本発明を実施するための最良の第１の形態と主に異なる点は、一方の外側カバー１０の遊側部１０ｃ、仕切壁２の一側部７ｃ、他方の外側カバー１２の他側部１２ｂを縫着固定１４するとともに、仕切壁２の一端部７ａと他方の外側カバー１２の他端部１２ｃとを縫着固定１５するＬ字状の縫着固定部１３Ａを設けた点で、このように構成した非接触ＩＣカードケース１Ｂにしても、前記本発明を実施するための最良の第１の形態と同様な作用効果が得られる。
【００２１】
図１６ないし図１８に示す本発明を実施するための第４の形態において、前記本発明を実施するための最良の第１の形態と主に異なる点は、電磁シールド手段６が設けられた仕切壁２Ｂを中央部で折りたたむことができる非接触ＩＣカードケース本体５Ｂを用いて、非接触ＩＣカードケース本体５Ｂおよび仕切壁２Ｂの両端部に縫着固定部１６、１６で固定した点で、このように構成した非接触ＩＣカードケース１Ｃにしてもよい。
【産業上の利用可能性】
【００２２】
本発明は非接触ＩＣカードケースを製造する産業で利用される。
【図面の簡単な説明】
【００２３】
【図１】本発明を実施するための最良の第１の形態の正面図。
【図２】本発明を実施するための最良の第１の形態の背面図。
【図３】図１の３−３線に沿う断面図。
【図４】非接触ＩＣカードケース本体の展開図。
【図５】電磁シールド手段が内部に位置するようにカバー体を折りたたんだ状態の説明図。
【図６】一方の外側カバーを折りたたんだ状態の説明図。
【図７】他方の外側カバーを折りたたんだ状態の説明図。
【図８】一方のポケットに非接触ＩＣカードを収納する状態の説明図。
【図９】他方のポケットに非接触ＩＣカードを収納する状態の説明図。
【図１０】本発明を実施するための第２の形態の正面図。
【図１１】本発明を実施するための第２の形態の背面図。
【図１２】非接触ＩＣカードケース本体の展開図。
【図１３】本発明を実施するための第３の形態の正面図。
【図１４】本発明を実施するための第３の形態の背面図。
【図１５】図１３の１５−１５線に沿う断面図。
【図１６】本発明を実施するための第４の形態の正面図。
【図１７】本発明を実施するための第４の形態の背面図。
【図１８】分解斜視図。
【符号の説明】
【００２４】
１、１Ａ、１Ｂ、１Ｃ：非接触ＩＣカードケース、
２、２Ａ、２Ｂ：仕切壁、      ３、３Ａ：非接触ＩＣカード、
４：ポケット、
５、５Ａ、５Ｂ：非接触ＩＣカードケース本体、        
６：電磁シールド手段、        ７：仕切壁本体、
８：カバー体、                ９：透孔、
１０：一方の外側カバー、      １１：透孔、
１２：他方の外側カバー、      １３、１３Ａ：縫着固定部、
１４：縫着固定、              １５：縫着固定、
１６：縫着固定部。
【図１】
2010102481.tif 000003
【図２】
2010102481.tif 000004
【図３】
2010102481.tif 000005
【図４】
2010102481.tif 000006
【図５】
2010102481.tif 000007
【図６】
2010102481.tif 000008
【図７】
2010102481.tif 000009
【図８】
2010102481.tif 000010
【図９】
2010102481.tif 000011
【図１０】
2010102481.tif 000012
【図１１】
2010102481.tif 000013
【図１２】
2010102481.tif 000014
【図１３】
2010102481.tif 000015
【図１４】
2010102481.tif 000016
【図１５】
2010102481.tif 000017
【図１６】
2010102481.tif 000018
【図１７】
2010102481.tif 000019
【図１８】
2010102481.tif 000020